(57)【特許請求の範囲】
【請求項１】
縦方向及び横方向を有し、前ウエスト域と、後ウエスト域と、前記前後ウエスト域間に位置するクロッチ域とを画定するベースパネルと、前記前後ウエスト域の両側縁部を互いに連結するサイドシームと、一対のレッグ開口とを含む使い捨てのパンツ型おむつにおいて、
前記ベースパネルに取り付けられた吸収パネルをさらに含み、
前記クロッチ域の両側縁部には、前記ベースパネル及び前記吸収パネルとは別体からなる帯状の一対の第１レッグ弾性部が配置されており、
前記前後ウエスト域のうちの前記クロッチ域側に位置する内端部には第２レッグ弾性部が配置されており、
前記一対の第１レッグ弾性部は、前記吸収パネルの前記横方向の外側に位置し、かつ、前記ベースパネルの両側縁から前記横方向の外側に延出しており、互いに最も接近して前記前後ウエスト域に向かうにつれて離間する湾曲形状であって、前記前後ウエスト域において前記ベースパネルに固定された前後固定端部を有しており、前記後固定端部は前記前固定端部よりも前記横方向の外側に位置し、前記後固定端部間の前記横方向における離間寸法は、前記前固定端部間の前記横方向における離間寸法よりも大きく、
前記第１レッグ弾性部と前記第２レッグ弾性部とが、平面視において互いに重なることを特徴とする前記パンツ型おむつ。
【請求項２】
前記クロッチ域は、前記第１レッグ弾性部のうちの前記最も近接する位置よりも前記後ウエスト域側において、前記横方向の外側へ凸となる湾曲状を有する請求項１に記載のおむつ。
【請求項３】
前記クロッチ域は、前記第１レッグ弾性部のうちの前記最も近接する位置よりも前記前ウエスト域側において、前記横方向の内側へ凸となる湾曲状を有する請求項１又は２に記載のおむつ。
【請求項４】
前記第２レッグ弾性部は、前記ベースパネルの側縁から前記横方向の内側へ延び、かつ、前記前後ウエスト域の内端縁から前記縦方向の内側へ延出している請求項１〜３のいずれかに記載のおむつ。
【請求項５】
前記第１レッグ弾性部の最大伸長時の有効伸長寸法は、前記前後ウエスト域の内端縁間に位置する前記ベースパネルの両側縁部の長さ寸法よりも大きい請求項１〜４のいずれかに記載のおむつ。
【請求項６】
前記第１レッグ弾性部と前記第２レッグ弾性部とは別体であって、前記第２レッグ弾性部が前記第１レッグ弾性部の前記前後固定端部を覆うように固定される請求項１〜５のいずれかに記載のおむつ。
【請求項７】
前記第１及び第２レッグ弾性部のうちの少なくとも一方は、ギア加工による賦形処理が施されている請求項１〜６のいずれかに記載のおむつ。
【請求項８】
前記第２レッグ弾性部が湾曲形状を有する請求項１〜７のいずれかに記載のおむつ。
【請求項９】
おむつの自然状態において、前記レッグ開口は、前記前ウエスト域側に位置する前側レッグ開口と、前記後ウエスト域側に位置する後側レッグ開口とを有し、前記前側レッグ開口が前記後側レッグ開口よりも大きい請求項１〜８のいずれかに記載のおむつ。
【発明の詳細な説明】
【技術分野】
【０００１】
本発明は、使い捨てのパンツ型おむつに関する。
【背景技術】
【０００２】
従来、レッグ開口縁部にレッグ弾性部が配置された使い捨てのパンツ型おむつは公知である。例えば、特許文献１には、吸収パネルとその外面に取り付られたベースパネルとを含み、吸収パネルの両側部に縦方向へ延びるレッグ弾性部が配置された使い捨てのパンツ型おむつが開示されている。
【先行技術文献】
【特許文献】
【０００３】
【特許文献１】特開２０１４−１７１６９０号公報
【発明の概要】
【発明が解決しようとする課題】
【０００４】
特許文献１に開示されたおむつでは、レッグ弾性部の一部が吸液構造体の両側部から横方向の外側へ延出しており、比較的に幅広の弾性域を形成して着用者の大腿部に面状にフィットするので、レッグ開口縁部に弾性糸からなるレッグ弾性体を配置する場合に比して、フィット性が向上するとともに排泄物の横漏れを効果的に防止することができる。
【０００５】
しかし、かかる従来のおむつにおいては、クロッチ域全体の横方向の寸法が同じであって、その横方向の寸法を比較的に大きくした場合には、クロッチ域の後ウエスト域側によって臀部を覆うことができるが、クロッチ域の前ウエスト域側においては、歩行時において脚部の動きを阻害するおそれがある。また、その横方向の寸法を比較的に小さくした場合には、クロッチ域の前ウエスト域側において歩行時等において脚部の動きを阻害することを抑制できるが、クロッチ域の後ウエスト域においては臀部の一部が露出してしまうおそれがある。
【０００６】
また、一般的な下着においては、下着本体とは別体の弾性シートをレッグ開口縁部に取り付けることによって柔らかな風合いを有し、着用したときに脚部の動きが阻害されないようなイメージを与えることができる。一方、一般的なおむつにおいては、レッグ開口縁部に配置された弾性部材は、レッグ開口縁部の内外面を形成するシート間に介在されて固定されており、下着のような柔らかな風合いを備えることはなく、おむつ特有の外観を有する。
【０００７】
そこで、本発明は、従来のおむつの改良であって、レッグ開口縁部のフィット性に優れ、かつ、着用者の脚部の動きを阻害することなく、臀部を安定的に被覆することのできるとともに、下着のような柔らかな風合いのある使い捨てのパンツ型おむつの提供を課題としている。
【課題を解決するための手段】
【０００８】
前記課題を解決するために、本発明は、縦方向及び横方向を有し、前ウエスト域と、後ウエスト域と、前記前後ウエスト域間に位置するクロッチ域とを画定するベースパネルと、前記前後ウエスト域の両側縁部を互いに連結するサイドシームと、一対のレッグ開口とを含む使い捨てのパンツ型おむつに関する。
【０００９】
本発明に係る使い捨てのパンツ型おむつは、前記ベースパネルに取り付けられた吸収パネルをさらに含み、前記クロッチ域の両側縁部には、前記ベースパネル及び前記吸収パネルとは別体からなる帯状の一対の第１レッグ弾性部が配置されており、前記前後ウエスト域のうちの前記クロッチ域側に位置する内端部には第２レッグ弾性部が配置されており、前記一対の第１レッグ弾性部は、前記吸収パネルの前記横方向の外側に位置し、かつ、前記ベースパネルの両側縁から前記横方向の外側に延出しており、互いに最も接近して前記前後ウエスト域に向かうにつれて離間する湾曲形状であって、前記前後ウエスト域において前記ベースパネルに固定された前後固定端部を有しており、前記後固定端部は前記前固定端部よりも前記横方向の外側に位置し、前記後固定端部間の前記横方向における離間寸法は、前記前固定端部間の前記横方向における離間寸法よりも大きく、前記第１レッグ弾性部と前記第２レッグ弾性部とが、平面視において互いに重なることを特徴とする。
【発明の効果】
【００１０】
本発明に係る使い捨てのパンツ型おむつの一つ以上の実施形態によれば、第１レッグ弾性部がベースパネルとは別体の弾性部材から形成されていることによって、一般的なおむつの外観とは異なり、下着のような柔らかな風合いのある外観を呈する。また、第１レッグ弾性部と第２レッグ弾性部とによってレッグ開口縁部全体が着用者の大腿部に面状にフィットされるので、排泄物の横漏れを防止しうる。さらに、おむつ１０の前側において、着用者の脚部の動きが阻害されることはなく、かつ、後側において臀部全体を覆うことができ、着用感に優れる。
【図面の簡単な説明】
【００１１】
図面は、本発明の特定の実施の形態を示し、発明の不可欠な構成ばかりではなく、選択的又は好ましい実施の形態を含む。
【図１】本発明の使い捨てのパンツ型おむつの一例として示す、第１実施形態に係るおむつの使用状態における斜視図。
【図２】おむつを構成する各弾性体の最大伸長時（弾性材料の収縮作用によるギャザーがなくなる程度）まで縦方向及び横方向に伸展したおむつの一部破断展開平面図。
【図３】（ａ）第１レッグ弾性部の平面図。（ｂ）図２のＩＩＩｂ−ＩＩＩｂ線に沿う模式的断面図。
【図４】弾性シートを仮想線で示した、ベースパネルの平面図。
【図５】着用状態におけるおむつの側面図。
【図６】第２実施形態に係るおむつの図４と同様の展開平面図。
【図７】第２実施形態の変形例の一例におけるおむつの図４と同様の展開平面図。
【図８】第３実施形態に係るおむつの図４と同様の展開平面図。
【発明を実施するための形態】
【００１２】
下記の実施の形態は、図１〜図８に示す使い捨てのパンツ型おむつに関し、発明の不可欠な構成ばかりでなく、選択的及び好ましい構成を含む。
【００１３】
＜第１実施形態＞
図１〜図３を参照すると、本発明に係る使い捨てのパンツ型おむつの一例として示すおむつ１０は、縦方向Ｙ及びそれに直交する横方向Ｘと、縦方向Ｙに沿う縦中心線Ｐと横方向Ｘに沿う横中心線Ｑと、肌対向面側及びそれに対向する非肌対向面側と、前ウエスト域１１と、後ウエスト域１２と、前後ウエスト域１１、１２間に位置するクロッチ域１３とを有する。おむつ１０は、その外形をなすベースパネル１４と、ベースパネル１４の肌対向面側に位置する吸収パネル１６と、吸収パネル１６とは別体であって、クロッチ域１３の両側縁部に取り付けられた一対の第１レッグ弾性部１７とをさらに有する。縦中心線Ｐは、おむつ１０の横方向Ｘの寸法を２等分するものであって、横中心線Ｑは、おむつ１０の縦方向Ｙの寸法を２等分するものであって、おむつ１０は、縦中心線Ｐに関して対称をなしている。前記ベースパネル１４は、前後ウエスト域１１、１２及びクロッチ域１３を画定する、おむつ１０の外形をなすものであって、本実施形態のように、１つのパネル部材で形成されるものの他に、前後ウエスト域１１，１２を形成する２つの前後ウエストパネルと、それらの間に位置して縦方向Ｙへ延びるクロッチパネルとから構成されたものを含む。
【００１４】
図２及び図４を参照すると、クロッチ域１３は、説明の便宜上、横中心線Ｑから前ウエスト域１１側に位置する前方区域１８と、横中心線Ｑから後ウエスト域１２側に位置する後方区域１９とに区分される。クロッチ域１３は、前ウエスト域１１と前方区域１８との境界をなす前端縁１３ａと後ウエスト域１２と後方区域１９との境界をなす後端縁１３ｂとを有する。
【００１５】
ベースパネル１４は、互いに縦方向Ｙにおいて対向する前後端縁１４ａ，１４ｂと、前後端縁１４ａ，１４ｂ間において縦方向Ｙへ曲状に延びる両側縁１４ｃ，１４ｄとを有する。ベースパネル１４の両側縁部（おむつ１０の両側縁部）は、着用者の大腿部に沿ってフィットするようにクロッチ域１３において凹曲状に形成されている。また、前ウエスト域１１の側縁部１１ｃ，１１ｄと後ウエスト域１２の側縁部１２ｃ，１２ｄとは、縦方向へ断続的に延びる複数のサイドシーム２０によって連結されており、ウエスト開口２１及び一対のレッグ開口２２が画定される。サイドシーム２０は、ホットメルト接着剤等の公知の接着剤のほかに、ヒートシールや超音波シール（ソニックシール）等の公知の熱溶着手段を用いることができる。
【００１６】
＜第１レッグ弾性部＞
図２及び図３（ａ）を参照すると、一対の第１レッグ弾性部１７は、帯状の弾性部材であって、ベースパネル１４の両側縁部に固定されている。第１レッグ弾性部１７は、前後端縁１７ａ，１７ｂと、前後端縁１７ａ，１７ｂ間において湾曲して縦方向Ｙへ延びる内側縁１７ｃと、内側縁１７ｃと横方向Ｘにおいて対向する外側縁１７ｄ（クロッチ域の側縁）とによって外形輪郭をなしている。第１レッグ弾性部１７は、前ウエスト域１１の内端部に固定された前固定端部２４と、後ウエスト域１２の内端部に固定された後固定端部２５と、前後固定端部２４，２５間に位置する中間部２６とを有する。第１レッグ弾性部１７は、おむつ１０の縦方向Ｙの寸法Ｌ１が４００〜５００ｍｍの場合において、その長さ寸法Ｌ２が約２８０〜３３０ｍｍ、幅寸法Ｗ２が約３０〜６０ｍｍである。
【００１７】
図３（ｂ）及び図４を参照すると、第１レッグ弾性部１７は、中間部２６においてベースパネル１４の側縁から横方向Ｘの外側へ延出した自由側縁部２７をさらに有し、内側縁１７ｃ側の部分に位置する接合部２８を介してベースパネル１４に固定されている。接合部２８は、ベースパネル１４と第１レッグ弾性部１７との一方の対向面に塗布されたホットメルト接着剤または超音波接合等の公知の熱溶着手段によって形成される。本実施形態においては、接合部２８は、超音波接合によって形成された熱溶着された部分であって、第１レッグ弾性部１７の内側縁１７ｃに沿って断続的に配置される。
【００１８】
各第１レッグ弾性部１７は、複数条のストリング状又はストランド状のレッグ弾性体３０と、レッグ弾性体３０を被覆するカバーシート３１とを有する。カバーシート３１は、１枚の繊維不織布又はプラスチックシートから形成されており、第１レッグ弾性部１７は、２つに折り曲げられたカバーシート３１の間において伸長状態で収縮可能に固定される。レッグ弾性体３０には、ストリング状又はストランド状の弾性材料のほかに、所定の幅及び厚さを有するウレタン等からなるシート状弾性材料から形成することもできる。第１レッグ弾性部１７は、２つに折り曲げられたカバーシート３１の側縁部どうしが重なる部分が接合部２８を介してベースパネル１４に固定される。かかる接合態様を有することによって、カバーシート３１の側縁部どうしを接合するための接着剤が不要であって、また、カバーシート３１の折曲部分によって自由側縁部が形成されるので、ドライエッジ状のカバーシート３１の側縁部によって自由側縁部が形成される場合と異なり、着用者の身体に触れても肌を刺激することはない。
【００１９】
また、伸長性を向上させるために、第１レッグ弾性部１７においてその長方向において起伏を繰り返す賦形パターンをなすように、ギア加工による賦形処理を施すこともできる。また、第１レッグ弾性部１７として、弾性伸縮性繊維不織布を用いることもできる。第１レッグ弾性部１７として弾性伸縮性繊維不織布を用いた場合には、肌触りが柔軟であって、比較的に高い伸長応力を有する場合であっても、ゴム痕が身体に付着するのを抑制することができる。このように、第１レッグ弾性部１７を弾性伸縮性繊維不織布から形成する場合には、着用者の脚回りに対する十分なフィット性を確保するために、少なくとも外側縁１７ｄ側において複数条の弾性糸を取り付けることが好ましい。
【００２０】
＜ベースパネル＞
ベースパネル１４は、肌対向面側に位置する内層シート３５と、非肌対向面側に位置する外層シート３６とを有する。内外層シート３５，３６には、不透液性であって、ＳＭＳ（スパンボンド・メルトブローン・スパンボンド）繊維不織布、スパンボンド不織布、エアスルー繊維不織布等の公知の繊維不織布やプラスチックシート、複数の公知の繊維不織布を接合してなるラミネートシート、公知の繊維不織布とプラスチックシートを接合してなるラミネートシート等を用いることができる。内外層シート３５，３６は、互いに少なくとも一方の内面に塗布されたホットメルト接着剤または公知の熱溶着手段によって接合される。
【００２１】
内外層シート３５，３６のうちの少なくとも一方であって、好ましくは内層シート３５には、弾性繊維不織布を用いることができる。弾性繊維不織布としては、例えば、弾性繊維（弾性フィラメント）から構成されたスパンボンド不織布、エアスルー不織布、ニードルパンチ不織布等各種公知の製法によって製造された伸縮性の繊維不織布等がある。弾性繊維は、熱可塑性エラストマーやゴムなどを原料とするものであって、特に熱可塑性エラストマーを原料として用いる場合には、通常の熱可塑性樹脂と同様に押出機を用いた溶融紡糸が可能であり、またそのようにして得られた繊維は熱融着させ易く、伸縮性の繊維不織布として好適である。
【００２２】
外層シート３６の縦方向Ｙの寸法は内層シート３５のそれよりも大きく、外層シート３６のうちの内層シート３５の前後端縁から縦方向Ｙの外側に位置する延出部分（折曲部分）３６ａは、該前後端縁に沿って内方へ折り曲げられて内層シート３５に固定されている。折曲部分３６ａと内層シート２５との間には、ウエスト開口に沿って延びる複数条ストリング状又はストランド状の上方ウエスト弾性体３７が伸長状態で収縮可能に配設される。
【００２３】
＜第２レッグ弾性部＞
ベースパネル１４は、内層シート３５の肌対向面側に固定された弾性シート４０をさらに有する。弾性シート４０は、前後ウエスト域１１，１２の内端側に位置しており、少なくとも横方向Ｘへ弾性伸縮可能であって、２枚の非弾性繊維不織布間に複数条のストリング状又はストランド状の弾性要素を介在させて形成された複合シートから形成されている。
【００２４】
弾性シート４０は、ベースパネル１４の両側縁から縦方向Ｙの内側へ延出した自由部を有しており、前後ウエスト域１１，１２においてベースパネル１４に固定された下方ウエスト弾性部４１と、該自由部から形成された第２レッグ弾性部４２とを有する。第２レッグ弾性部４２は、ベースパネル１４の両側縁間（具体的には、前後ウエスト域１１、１２の両側縁１１ｃ，１１ｄ，１２ｃ，１２ｄから縦方向Ｙの内側へ延びるライン間）において横方向Ｘへ延び、かつ、前後ウエスト域１１，１２の内端縁１１ａ，１２ａから縦方向Ｙの内側へ延出している。内層シート３５を伸縮性不織布から形成する場合には、おむつ１０全面が弾性伸縮性を有するが、下方ウエスト弾性部４１を設けることによって、上方ウエスト弾性体３７とともに、着用状態において、より身体に対する保持力を向上させることができる。第２レッグ弾性部４２は、第１レッグ弾性部１７と平面視において互いに重なる限りにおいて、その一部がベースパネル１４から延出せず、全体がベースパネル１４上に位置していてもよいし、弾性を有するベースパネル１４の一部から形成されていてもよい。また、下方ウエスト弾性部４１と第２レッグ弾性部４２とは、同一の弾性シートから形成されているが、それぞれ別体のシートから形成されていてもよい。それらが別体のシートから形成する場合には、互いに異なる伸縮率や伸長応力を適宜必要に応じて設定することができる。また、弾性シート４０のうちの第２レッグ弾性部４２において、その伸長性を向上させるために、ギア加工による賦型処理が施されていてもよい。
【００２５】
前後ウエスト域１１，１２及びクロッチ域の前後方区域１８，１９において、第１レッグ弾性部１７と第２レッグ弾性部４２とは、おむつ１０の平面視において互いに重なり合っている。前後ウエスト域１１，１２の内端部において第１レッグ弾性部１７の前後端部２４，２５を覆うように弾性シート４０が固定されており、クロッチ域１３の前後方区域１８，１９においては、第１レッグ弾性部１７の一部と第２レッグ弾性部４２の一部とが互いに重なっている。ここで、「第１レッグ弾性部１７と第２レッグ弾性部５２とが、おむつの平面視において互いに重なり合っている」とは、おむつ１０の着用される前の状態において、平面視において重なり合っていること（又は、互いに交差していること）を意味するものであって、両レッグ弾性部１７，４２が重なり合っている部分において互いに固定されている場合のほかに、重なり合っている部分において互いに固定されていない場合も含むものである。すなわち、両レッグ弾性部１７，４２の重なり合っている部分が互いに固定されていない場合であっても、一方の弾性部が伸長されたときに、その伸長力が他方の弾性部に作用すればよい。このように、第１及び第２レッグ弾性部１７，４２によって、レッグ開口縁部に沿って連続して弾性帯が伸びることによって、複数のギャザーがレッグ開口周りに連続して形成され、フィット性に優れた下着のような柔らかな風合いのある印象を与えることができる。
【００２６】
＜吸収パネル＞
図２及び図３（ｂ）を参照すると、吸収パネル１６は、縦長方形状を有し、肌対向面側に位置する透液性の身体側ライナー５０と、非肌対向面側に位置する不透液性の被覆シート５１と、両シート５０，５１の間に介在された吸収体５２と、吸収体５２と被覆シート５１との間に配置された防漏シート５７とをさらに含む。
【００２７】
吸収体５２は、前後端縁と、前後端縁間において凹曲状に縦方向Ｙへ延びる両側縁とを有し、クロッチ域１３を中心として前後ウエスト域１１，１２まで延在している。吸収体５２は、フラッフ木材パルプと超吸収性ポリマー粒子（ＳＡＰ）との混合物から形成され、所要の形状に賦型された半剛性の吸収性コアと、吸収性コアを包被する液拡散性のティッシュペーパ等から形成されたコアラップシート（保形シート）とを有する。防漏シート５７は、不透液性のプラスチックフィルム又は繊維不織布から形成されており、好ましくは吸収体５２の底面全体を被覆する大きさを有する。
【００２８】
吸収パネル１６は、吸収体５２の前後端縁の縦方向Ｙの外側に位置するエンドフラップと、吸収体５２の両側縁の横方向Ｘの外側に位置するサイドフラップとを有する。吸収パネル１６は、前後端部に位置する前後接合域（図示せず）を介してベースパネル１４に接合される。前後接合域は、例えば、前後端部の非肌対向面に塗布されたホットメルト接着剤から形成される。吸収パネル１６は、前後端部に位置する前後接合域を介してベースパネル１４と接合されており、他の領域においてはベースパネル１４に固定されていない。したがって、吸収パネル１６のうちの非肌対向面全域がベースパネル１４に固定されている場合に比して、おむつ１０全体が柔軟性に優れる。また、内層シート３５が弾性伸縮性シートから形成されているときには、ベースパネル１４に吸収パネル１６全体が固定されている場合に比して、その弾性伸縮性が阻害されるのを抑制することができる。
【００２９】
被覆シート５１は、吸収体５２の両側縁から横方向Ｘの外側に延びる両側部を有する。両側部は、縦中心線Ｐ側へ（横方向Ｘの内方へ）折り曲げられて重ねられた部分を互いに固定してなる近位部と、前後ウエスト域１１，１２において身体側ライナー５０に固定された、エンドフラップの一部を形成する前後固定部と、被覆シート５１の一部をスリーブ状に折り曲げて固定することによって形成された遠位縁部（自由縁部）とを有する。近位部には、縦方向Ｙに延びる複数条のストリング状又はストランド状のガスケットカフ弾性体５６が伸長状態で収縮可能に取り付けられる。遠位縁部には、縦方向Ｙへ延びるストリング状又はストランド状のバリアカフ弾性体５５が伸長状態で収縮可能に固定される。遠位縁部は、おむつ１０の着用状態において、バリアカフ弾性体５５の収縮作用によって身体側ライナー５０の肌対向面から離間し、排泄物の横漏れを防止するための一対のバリアカフが形成される。また、近位部は、ガスケットカフ弾性体５６の収縮作用によって起立し、バリアカフとともに排泄物の横漏れを防止するガスケットカフを形成する。
【００３０】
図２、図３（ａ）及び図４を参照すると、一対の第１レッグ弾性部１７は、クロッチ域１３において、より具体的にはクロッチ域１３の中央部において、最も接近して前後ウエスト域１１，１２に向かうにつれて互いに離間する湾曲形状を有している。クロッチ域１３の両側縁部は、一対の第１レッグ弾性部１７によって形成されており、クロッチ域１３は、一対のレッグ弾性部１７が最も近接する最狭部分６０よりも後ウエスト域１２側において、横方向Ｘの外側へ凸となる湾曲状を有するとともに、最狭部分６０よりも前ウエスト域１１側において、横方向Ｘの内側へ凸となる湾曲状を有している。
【００３１】
一対の第１レッグ弾性部１７がかかる特異な形状を有することから、クロッチ域１３は、横中心線Ｑの位置する中央部から縦方向Ｙの外側へ次第に幅広となる形状を有し、クロッチ域１３の後端縁１３ｂにおける横方向Ｘの寸法は、クロッチ域１３の前端縁１３ａにおける横方向Ｘの寸法よりも大きくなっている。また、第１レッグ弾性部１７において、後方区域１９の横中心線Ｑから後方へ漸次幅広となる度合いは、前方区域１８の横中心線Ｑから前方へ漸次幅広となる度合いよりも大きく、横中心線Ｑから前方と後方とに同寸法離間した位置におけるクロッチ域１３の横方向Ｘの寸法は、後方区域１９の方が前方区域１８よりも大きくなっている。
【００３２】
第１レッグ弾性部１７の後固定端部２５間の横方向Ｘにおける離間寸法（一対の第１レッグ弾性部１７の内側縁１７ｃ間の離間寸法）Ｒ２は、前固定端部２４間の横方向Ｘにおける離間寸法Ｒ１よりも大きくなっており、各第１レッグ弾性部１７の前固定端部２４は、その後固定端部２５よりも横方向Ｘの内側に位置している。具体的には、第１レッグ弾性部１７の前固定端部２４間の横方向Ｘの離間寸法Ｒ１が約１２０〜２００ｍｍ、後固定端部２５間の横方向Ｘの離間寸法Ｒ２が約２５０〜３３０ｍｍである。本実施形態においては、離間寸法Ｒ１が約１６０ｍｍ、離間寸法Ｒ２が約２９０ｍｍである。
【００３３】
再び、図１を参照すると、クロッチ域１３の後端縁１３ｂの横方向Ｘの寸法が前端縁１３ａの横方向Ｘの寸法よりも大きくなっていることから、おむつ１０の自然状態、すなわち、おむつ１０を平置きした状態において、サイドシーム２０よりも前ウエスト域１１側に位置する前側レッグ開口２２ａがサイドシーム２０よりも後ウエスト域１２側に位置する後側レッグ開口２２ｂよりも大きくなっている。そのため、おむつ１０の自然状態において、「前側／後側」等の前後ウエスト域を識別するための表示要素を前後ウエスト域の外面に配置しなくても、前ウエスト域１１と後ウエスト域１２とをすぐに判別することができる。
【００３４】
図５を参照すると、おむつ１０の着用状態において、レッグ開口周縁部は、所定幅を有する第１レッグ弾性部１７とそれと平面視において互いに重なる第２レッグ弾性部４２とによってレッグ開口を画成する弾性帯が形成されており、それらが伸長されて大腿部に面状にフィットされることからフィット性に優れ、排泄物の横漏れを効果的に防止しうる。また、クロッチ域１３の前方区域１８が比較的に幅狭であることから、着用者が歩行時において脚部を前方へ移動させたときであっても、前方区域１８が大腿部に当接してその動きを阻害することはない。一方、クロッチ域１３の後方区域１９は比較的に幅広であることから、臀部をその一部が露出することなく覆うことができる。このように、第１及び第２レッグ弾性部１７，４２によってレッグ開口周り全体を着用者に身体に対して面状にフィットさせることができるとともに、その形状や配置パターンをコントロールすることによって、着用者の脚部の動きを抑制することなく、かつ、臀部を露出させずに安定的に被覆することができる。
【００３５】
かかる効果を奏するために、例えば、クロッチ域の外形輪郭として、後ウエスト域側から前ウエスト域側へ向かうにつれて次第に縦中心線に近づくように直線状に延びる両側縁を形成することも考えられるが、かかる場合には、クロッチ域の前端縁に最狭部分が位置することになり、股間の前面全体を被覆することができないおそれがある。本実施形態に係るおむつ１０においては、最狭部分６０がクロッチ域１３の中央部に位置することによって、クロッチ域１３の中央部が鼠蹊部に挟まれて、吸収パネル１６が変形してその吸液性能が低減されるのを抑制することができる。
【００３６】
本実施形態においては、ベースパネル１４がクロッチ域１３の外形ライン（第１レッグ弾性部１７の外側縁１７ｄ）に沿うような湾曲状を有していることから、その両側縁部に一対の第１レッグ弾性部１７を取り付けることによって、クロッチ域１３の前後方区域１８，１９において横方向Ｘの寸法の相違が生じているが、ベースパネル１４全体が矩形状であって、クロッチ域１３の横方向Ｘの寸法が前後方区域１８，１９においてほぼ同等の場合やそれらの湾曲度合いがほぼ同じ場合であっても、第１レッグ弾性部１７の形状や配置態様をコントロールする（例えば、第１レッグ弾性部１７の幅寸法や湾曲度合を適宜調整する）ことによって、前後方区域１８，１９の横方向Ｘの寸法を相違させることができる。
【００３７】
また、通常のおむつでは、おむつ本体の横方向の中心から横方向の外側へ向かって連続して延びるシート間にレッグ弾性体を介在させて固定することによって、レッグ開口縁部に弾性を付与している。したがって、おむつ本体を形成するかかるシート自体がレッグ弾性体によって収縮された状態となり、該収縮部分はおむつ本体の一部として認識されるような外観を有する。一方、本実施形態に係るおむつ１０においては、ベースパネル１４（おむつ本体）とは、別体の第１レッグ弾性部１７を有するものであるから、ベースパネル１４と第１レッグ弾性部１７との間にそれらを接合する接合部２８が存在したり、第１レッグ弾性部１７のシートが接合部２８から延出するフリル部分を有することから、おむつ本体と第１レッグ弾性部１７とが異なる外観を有し、より下着らしい印象を与えることができる。また、より好ましくは、第１レッグ弾性部１７に隣接するベースパネル１４側のシートにも、フリル部分が存在している。かかるベースパネル１４側のシートには弾性部材が配置されていないので、第１レッグ弾性部１７とは異なるフリル形状となり、より下着らしい風合いとなる。
【００３８】
本実施形態においては、第２レッグ弾性部４２と下方ウエスト弾性部４１とは同一の弾性シート４０から形成されているので、第２レッグ弾性部４２とつながる第１レッグ弾性部１７は、下方ウエスト弾性部４１の伸縮に連動する。そのために、おむつ１０の着用状態において下方ウエスト弾性部４１が伸長されたときに第１レッグ弾性部１７も間接的にそれに連動して伸長されてレッグ開口縁部全体が引き上げられて身体にフィットされる。このように、レッグ開口周りにおいて連続する弾性帯を形成する限りにおいて、弾性シート４０は、第１レッグ弾性部１７と同等、それよりも幅狭又は幅広であってもよいし、前後ウエスト域１１，１２の内端縁から縦方向Ｙの外側へ延出していなくてもいい。
【００３９】
＜第２実施形態＞
図６は、第２実施形態に係る図４と同様の図である。本実施形態に係るおむつ１０の基本的構成は第１実施形態と同様であって、相違する点についてのみ、以下に説明する。
【００４０】
図６を参照すると、本実施形態においては、前後ウエスト域１１，１２の両側縁間において横方向Ｘへ延びる弾性シートが配置されておらず、第１レッグ弾性部１７と同様の構成、すなわち、カバーシートと複数条のストリング状又はストランド状の弾性糸とを有する複合シートから形成された第２レッグ弾性部７０が配置されている。第２レッグ弾性部７０は、第１レッグ弾性部１７と同等の幅寸法を有し、前後ウエスト域１１，１２のサイドシーム２０から直状に横方向Ｘの内側へ向かって第１レッグ弾性部１７の前後固定端部２４，２５まで延びている。第２レッグ弾性部７０の内端部は、第１レッグ弾性部１７の前後固定端部２４，２５を覆うように固定される。第２レッグ弾性部７０は、ベースパネル１４の両側縁から延出しておらず、着用状態において、第２レッグ弾性部７０が着用者の大腿部に当接してその動きを抑制することはない。
【００４１】
本実施形態においては、レッグ開口縁部に沿う弾性帯が３つの弾性部材によって構成されているが、レッグ開口周りにおける所要のフィット性が確保される限りにおいて、２つの弾性部材、すなわち、第１レッグ弾性部１７と前ウエスト域１１の内端部に配置された第２レッグ弾性部７０、第１レッグ弾性部１７と後ウエスト域１２の内端部に固定された第２レッグ弾性部７０とから構成されていてもよい。さらに、全体における連動性を向上させるために、第１レッグ弾性部１７と第２レッグ弾性部７０とを連続する一つの弾性部材から形成することもできる。
【００４２】
＜変形例＞
図７は、第２実施形態に係るおむつ１０の変形例の一例を示す図４と同様の展開平面図である。本変形例においては、第２レッグ弾性部７０が湾曲して延びた形状を有している。第２レッグ弾性部７０が湾曲状を有することによって、第１レッグ弾性部１７と第２レッグ弾性部７０とによって形成されるレッグ開口周縁部の外形が湾曲状を有し、曲状をなす大腿部に沿ってフィットされるのでフィット性に優れる。第２レッグ弾性部７０の湾曲度合いは、第１レッグ弾性部１７と連続するようにその湾曲度合いと同じであってもよいし、相違していてもよい。
【００４３】
＜第３実施形態＞
図８は、第３実施形態に係るおむつの図４と同様の展開平面図である。本実施形態に係るおむつ１０の基本的構成は第１実施形態と同様であるところ、相違する点についてのみ、以下に説明する。
【００４４】
図８を参照すると、本実施形態において、第１レッグ弾性部１７は、収縮した状態でベースパネル１４に固定されており、第１レッグ弾性部１７には多数のギャザー８０が形成されている。すなわち、クロッチ域１３の縦方向Ｙにおける寸法、前ウエスト域１１の内端縁１１ａと後ウエスト域１２の内端縁１２ａとの間における湾曲状を有するベースパネル１４の両側縁部の長さ寸法Ｌ３は約２００〜３００ｍｍであるのに対し、それに取り付けられる第１レッグ弾性部１７の最大伸長時の有効伸長寸法Ｌ４は約２３０〜４００ｍｍである。ここで、有効伸長寸法とは、ベースパネル１４に固定された前後固定端部２４，２５を除く、第１レッグ弾性部１７の中間部２６の弾性的に伸縮可能な部分の長さ寸法Ｌ４をいう。したがって、第１レッグ弾性部１７は、それが固定されているベースパネル１４の両側縁部の長さ寸法Ｌ３よりも少なくとも１．０５倍以上、好ましくは１．１倍以上、さらに好ましくは１．３倍以上弾性的に伸長可能なものである。
【００４５】
このように、第１レッグ弾性部１７が収縮状態で取り付けられている（製造工程において、オーバーフィードされている）ことによって、着用者の身体の大きさに合わせた適応範囲を拡げることができる。また、例えば、比較的にオーバーフィードの量を多くすることによって、おむつ１０を着用するためにウエスト開口を拡げた際に、レッグ開口縁部が伸長されず、レッグ開口２２の下端においては弛緩した状態で下方へ垂れ下がったような態様を呈するようにすることもできる。かかる場合には、レッグ開口２２が比較的に大きく形成され、脚先をレッグ開口縁部に引っ掛けることなく挿入することができる。
【００４６】
おむつ１０を構成する各構成部材には、本明細書に記載されている材料のほかに、この種の分野において通常用いられている、各種の公知の材料を制限なく用いることができる。また、おむつ１０は、前後ウエスト域１１，１２とクロッチ域１３とがそれぞれ別体のパネル部材から形成された態様であってもよいし、プルオン型の使い捨ておむつに限らず、前後ウエスト域１１，１２のサイドシーム２０が予め連結されていない、いわゆるオープン型の使い捨ておむつであってもよいし、また、前後ウエスト域の両側縁部を再連結可能ないわゆるリクローズ型おむつであってもよい。
【００４７】
以上に記載した本発明に関する開示は、少なくとも下記の事項に整理することができる。
【００４８】
縦方向及び横方向を有し、前ウエスト域と、後ウエスト域と、前記前後ウエスト域間に位置するクロッチ域とを画定するベースパネルと、前記前後ウエスト域の両側縁部を互いに連結するサイドシームと、一対のレッグ開口とを含む使い捨てのパンツ型おむつにおいて、前記ベースパネルに取り付けられた吸収パネルをさらに含み、前記クロッチ域の両側縁部には、前記ベースパネル及び前記吸収パネルとは別体からなる帯状の一対の第１レッグ弾性部が配置されており、前記前後ウエスト域のうちの前記クロッチ域側に位置する内端部には第２レッグ弾性部が配置されており、前記一対の第１レッグ弾性部は、前記吸収パネルの前記横方向の外側に位置し、かつ、前記ベースパネルの両側縁から前記横方向の外側に延出しており、互いに最も接近して前記前後ウエスト域に向かうにつれて離間する湾曲形状であって、前記前後ウエスト域において前記ベースパネルに固定された前後固定端部を有しており、前記後固定端部は前記前固定端部よりも前記横方向の外側に位置し、前記後固定端部間の前記横方向における離間寸法は、前記前固定端部間の前記横方向における離間寸法よりも大きく、前記第１レッグ弾性部と前記第２レッグ弾性部とが、平面視において互いに重なることを特徴とする。
【００４９】
上記段落００４８に開示した本発明に係る使い捨てのパンツ型おむつは、少なくとも下記の実施の形態を含むことができる。
（１）前記クロッチ域は、前記第１レッグ弾性部のうちの前記最も近接する位置よりも前記後ウエスト域側において、前記横方向の外側へ凸となる湾曲状を有する。
（２）前記クロッチ域は、前記第１レッグ弾性部のうちの前記最も近接する位置よりも前記前ウエスト域側において、前記横方向の内側へ凸となる湾曲状を有する。
（３）前記第１レッグ弾性部は、前記ベースパネルの両側縁から前記横方向の外側へ延出している。
（４）前記第２レッグ弾性部は、前記ベースパネル側縁から前記横方向の内側へ延び、かつ、前記前後ウエスト域の内端縁から前記縦方向の内側へ延出している。
（５）前記第１レッグ弾性部の最大伸長時の有効伸長寸法は、前記前後ウエスト域の内端縁間に位置する前記ベースパネルの両側縁部の長さ寸法よりも大きい。
（６）前記第１レッグ弾性部と前記第２レッグ弾性部とは別体であって、前記第２レッグ弾性部が前記第１レッグ弾性部の前記前後固定端部を覆うように固定される。
（７）前記第１及び第２レッグ弾性部のうちの少なくとも一方は、ギア加工による賦形処理が施されている。
（８）前記第２レッグ弾性部が湾曲形状を有する。
（９）おむつの自然状態において、前記レッグ開口は、前記前ウエスト域側に位置する前側レッグ開口と、前記後ウエスト域側に位置する後側レッグ開口とを有し、前記前側レッグ開口が前記後側レッグ開口よりも大きい。
【符号の説明】
【００５０】
１０  使い捨てのパンツ型おむつ
１１  前ウエスト域
１１ａ  前ウエスト域の内端縁
１２  後ウエスト域
１２ａ  後ウエスト域の内端縁
１３  クロッチ域
１４  ベースパネル
１５  吸液構造体
１６  ベースパネル
１７  第１レッグ弾性部
２０  サイドシーム
２２  レッグ開口
２２ａ  前側レッグ開口
２２ｂ  後側レッグ開口
２４  第１レッグ帯状体の前固定端部
２５  第２レッグ帯状体の後固定端部
Ｌ３    前後ウエスト域の内端縁間に位置するベースパネルの両側縁の長さ寸法
Ｌ４  レッグ弾性帯状体の最大伸長時の有効伸長寸法
Ｘ  横方向
Ｙ  縦方向
【図１】
0006429741.tif 000002
【図２】
0006429741.tif 000003
【図３】
0006429741.tif 000004
【図４】
0006429741.tif 000005
【図５】
0006429741.tif 000006
【図６】
0006429741.tif 000007
【図７】
0006429741.tif 000008
【図８】
0006429741.tif 000009